(57)【要約】【課題】作業性の悪い環境に設置されていたとしても、運転状態や警報等を容易に確認することが可能なポンプ装置を提供する。【解決手段】ポンプ装置１は、ユニットベース１４に固定され、ポンプ１１を制御する制御装置１３を覆うユニットカバー１５と、ユニットカバー１５の上面の少なくとも一部に設けられ、ユニットカバー１５の外部からポンプ装置１の状態を示す情報の視認を可能とする視認可能部（窓部１５ａ）と、を備える。【選択図】図３
2019011731.tif 000002
【特許請求の範囲】
【請求項１】
ユニットベースに固定され、ポンプを制御する制御装置を備えるポンプ装置において、
前記ユニットベース上の前記制御装置を覆うユニットカバーと、
前記ユニットカバーの上面の少なくとも一部に設けられ、前記ユニットカバーの外部から前記ポンプ装置の状態を示す情報の視認を可能とする視認可能部と、
を備えるポンプ装置。
【請求項２】
前記ユニットカバー内に配置され、前記ポンプ装置の状態を示す情報を上方から視認可能に表示する表示器を更に備え、
前記視認可能部は、前記ユニットカバーの上面に形成されて、前記表示器を外部から視認可能とする窓部である、
請求項１記載のポンプ装置。
【請求項３】
第１近距離通信を行って前記ポンプ装置の状態を示す情報を送信する制御部と、
前記ユニットカバーの上面内壁に取り付けられ、前記制御部との間で前記第１近距離通信を行って得られた情報を表示部に表示する表示器と、
を更に備え、
前記視認可能部は、前記ユニットカバーの上面に形成されて、前記表示器の表示部を外部から視認可能とする窓部である、
請求項１記載のポンプ装置。
【請求項４】
前記表示器は、前記制御部から非接触で供給される電力によって動作する、請求項３記載のポンプ装置。
【請求項５】
前記表示器は、前記第１近距離通信を行って得られた情報を、第２近距離通信を行って前記ユニットカバーの外部の機器に送信する、請求項３又は請求項４記載のポンプ装置。
【請求項６】
前記表示器は、前記外部の機器から非接触で供給される電力によって動作する、請求項５記載のポンプ装置。
【請求項７】
前記表示器は、着脱可能に前記ユニットカバーの上面内壁に取り付けられている、請求項３から請求項６の何れか一項に記載のポンプ装置。
【請求項８】
前記窓部には、透明樹脂によって形成された透明窓が設けられている、請求項２から請求項７の何れか一項に記載のポンプ装置。
【請求項９】
前記窓部を開放又は閉鎖する扉部を備える請求項２から請求項８の何れか一項に記載のポンプ装置。
【請求項１０】
第１近距離通信を行って前記ポンプ装置の状態を示す情報を送信する制御部と、
前記ユニットカバーの前記視認可能部が設けられた位置に取り付けられ、前記制御部との間で前記第１近距離通信を行って前記情報を取得し、取得した前記情報を、第２近距離通信を行って前記ユニットカバーの外部の機器に送信する通信器と、
を備える請求項１記載のポンプ装置。
【請求項１１】
前記通信器は、前記制御部から非接触で供給される電力と、前記外部の機器から非接触で供給される電力との少なくとも一方によって動作する、請求項１０記載のポンプ装置。
【請求項１２】
前記通信器は、着脱可能に前記ユニットカバーに取り付けられている、請求項１０又は請求項１１記載のポンプ装置。
【発明の詳細な説明】
【技術分野】
【０００１】
本発明は、ポンプ装置に関する。
【背景技術】
【０００２】
従来から、家庭用のポンプ装置として、カスケードポンプ（渦流ポンプ、ウェスコポンプともいう）を使用したポンプ装置が知られている。このポンプ装置は、概して、水を汲み上げるためのポンプ（カスケードポンプ）、ポンプを駆動する電動機、電動機を制御する制御装置を備える。このポンプ装置は、同一羽根外径の渦巻ポンプと比較すると高い圧力が得られ、受水槽の水や井戸水の汲み上げに適していることから、家庭用として多く用いられている。
【０００３】
また、一般的に、ポンプ装置は、運転状態や警報等の情報を表示する表示器を備えている。家庭用のポンプ装置に設けられる表示器は、例えば７セグメントＬＥＤ（Light Emitting Diode：発光ダイオード）や表示灯の簡易な発光素子を備えており、ポンプの運転状況、吐出し圧力、故障の発生等の必要最低限の情報のみを表示するようにされている。このような表示器は、ポンプ装置のカバー（ユニットカバー）内に収容されているため、その表示内容を確認する場合には、ポンプ装置に設けられたユニットカバーを外す必要がある。
【０００４】
以下の特許文献１には、カスケードポンプを使用した従来のポンプ装置の一例が開示されている。以下の特許文献２には、ポンプ装置に設けられた導風ダクトに表示部を取り付けて表示部を水平に載置することで、表示部に表示された情報の視認性を向上させる技術が開示されている。以下の特許文献３には、ユニットカバーに透光性を有する窓部を設け、ユニットカバーの側面と対向する制御盤の面に設けられた報知手段（ＬＥＤ）を視認可能とする技術が開示されている。
【０００５】
以下の特許文献４には、ポンプ装置に赤外線通信回路を設け、ユニットカバーに赤外線窓を設けることで、ユニットカバーを外すことなくポンプ装置の状態確認及び設定入力を可能とする技術が開示されている。以下の特許文献５には、ポンプ装置に無線通信部を設け、ポンプ装置との間で無線通信を行うことで、地上から地中に埋設されたポンプ装置の運転停止を可能とする技術が開示されている。
【先行技術文献】
【特許文献】
【０００６】
【特許文献１】特開２０１５−２１８６５８号公報
【特許文献２】特許第４９８２４４５号公報
【特許文献３】特開２０１６−２１７１５３号公報
【特許文献４】特開２００５−２０１０５１号公報
【特許文献５】特許第５０８５２３６号公報
【発明の概要】
【発明が解決しようとする課題】
【０００７】
ところで、家庭用のポンプ装置は、一般の産業用のポンプのように作業性に優れる専用のポンプ室に設置されることは殆ど無く、作業性の悪い環境に設置されることが多い。例えば、家屋と家屋との間の狭隘部に設置されたり、降雪地帯では装置ごと地中に埋設されたりすることもある。このような環境に設置されるポンプ装置が正常に動作している場合には、表示器の表示内容を確認する必要性は殆ど無いことから大きな問題が生じないと考えられる。
【０００８】
しかしながら、例えばポンプ装置に異常が生じた場合には、ポンプ装置の運転状態や警報等を確認するために、ポンプ装置のユニットカバーを外して表示器の内容を参照する必要性が生ずる。ところが、ポンプ装置が上述した狭隘部に設置されている場合、或いはポンプ装置が地中に埋設されている場合には、ユニットカバーを外すことが困難になり、ポンプ装置の表示器の内容を容易に確認することができないという問題がある。
【０００９】
ここで、上述した特許文献２に開示された技術は、表示部に表示された情報の視認性を向上させるものであるが、ユニットカバーを外さなければ表示部の表示内容を確認することはできない。上述した特許文献３に開示された技術は、ユニットカバーの外部から報知手段を視認可能とするものであるが、ユニットカバーの上方から報知手段を視認しやすいという訳ではない。
【００１０】
上述した特許文献４，５に開示された技術を用いれば、ユニットカバーを外すことなくポンプ装置の状態を確認することが可能であると考えられるものの、無線通信が可能な範囲が広いため、狭域内に複数個のポンプ装置が設置されていると、通信可能な複数個のポンプ装置のうち何れのポンプ装置の状態を確認したか、をユーザが誤認してしまう虞がある。尚、上述した特許文献５では、外部からポンプ装置の動作を制御可能であるから、悪意のある者によって不正な操作が行われ、ポンプが停止されて断水してしまう危険性も考えられる。
【００１１】
本発明は上記事情に鑑みてなされたものであり、作業性の悪い環境に設置されていたとしても、運転状態や警報等を容易に確認することが可能なポンプ装置を提供することを目的とする。
【課題を解決するための手段】
【００１２】
上記課題を解決するために、本発明のポンプ装置は、ユニットベース（１４）に固定され、ポンプ（１１）を制御する制御装置（１３）を備えるポンプ装置（１〜４）において、前記ユニットベース上の前記制御装置を覆うユニットカバー（１５）と、前記ユニットカバーの上面の少なくとも一部に設けられ、前記ユニットカバーの外部から前記ポンプ装置の状態を示す情報の視認を可能とする視認可能部（１５ａ）と、を備える。
また、本発明のポンプ装置は、前記ユニットカバー内に配置され、前記ポンプ装置の状態を示す情報を上方から視認可能に表示する表示器（１９）を更に備え、前記視認可能部が、前記ユニットカバーの上面に形成されて、前記表示器を外部から視認可能とする窓部（１５ａ）である。
或いは、本発明のポンプ装置は、第１近距離通信（Ｃ１）を行って前記ポンプ装置の状態を示す情報を送信する制御部（２０、４０）と、前記ユニットカバーの上面内壁に取り付けられ、前記制御部との間で前記第１近距離通信を行って得られた情報を表示部（３３、５４）に表示する表示器（３０、５０）と、を更に備え、前記視認可能部が、前記ユニットカバーの上面に形成されて、前記表示器の表示部を外部から視認可能とする窓部（１５ａ）である。
また、本発明のポンプ装置は、前記表示器が、前記制御部から非接触で供給される電力によって動作する。
また、本発明のポンプ装置は、前記表示器が、前記第１近距離通信を行って得られた情報を、第２近距離通信（Ｃ２）を行って前記ユニットカバーの外部の機器（６０）に送信する。
また、本発明のポンプ装置は、前記表示器が、前記外部の機器から非接触で供給される電力によって動作する。
また、本発明のポンプ装置は、前記表示器が、着脱可能に前記ユニットカバーの上面内壁に取り付けられている。
また、本発明のポンプ装置は、前記窓部には、透明樹脂によって形成された透明窓（ＴＷ）が設けられている。
また、本発明のポンプ装置は、前記窓部を開放又は閉鎖する扉部（ＯＤ、ＳＤ）を備える。
或いは、本発明のポンプ装置は、第１近距離通信（Ｃ１）を行って前記ポンプ装置の状態を示す情報を送信する制御部（２０、４０）と、前記ユニットカバーの前記視認可能部が設けられた位置に取り付けられ、前記制御部との間で前記第１近距離通信を行って前記情報を取得し、取得した前記情報を、第２近距離通信（Ｃ２）を行って前記ユニットカバーの外部の機器に送信する通信器と、を備える。
また、本発明のポンプ装置は、前記通信器が、前記制御部から非接触で供給される電力と、前記外部の機器から非接触で供給される電力との少なくとも一方によって動作する。
また、本発明のポンプ装置は、前記通信器が、着脱可能に前記ユニットカバーに取り付けられている。
【発明の効果】
【００１３】
本発明によれば、ポンプを制御するユニットベース上の制御装置を覆うユニットカバーの上面の少なくとも一部に、ユニットカバーの外部からポンプ装置の状態を示す情報の視認を可能とする視認可能部を設けたため、ポンプ装置が作業性の悪い環境に設置されていたとしても、ユニットカバーを外すことなく、運転状態や警報等を容易に確認することが可能であるという効果がある。
【図面の簡単な説明】
【００１４】
【図１】本発明の第１実施形態によるポンプ装置の設置例を示す概念図である。
【図２】本発明の第１実施形態によるポンプ装置を示す正面図である。
【図３】本発明の第１実施形態によるポンプ装置を示す背面斜視図である。
【図４】本発明の第１実施形態によるポンプ装置の制御装置を示す図である。
【図５】本発明の第１実施形態によるポンプ装置の制御装置に設けられる表示器の詳細を示す図である。
【図６】本発明の第１実施形態においてユニットカバーに形成される窓部の構成例を示す図である。
【図７】本発明の第１実施形態においてユニットカバーに形成される窓部の他の構成例を示す図である。
【図８】本発明の第１実施形態における表示器の第１変形例を示す図である。
【図９】本発明の第１実施形態における表示器の第２変形例を示す図である。
【図１０】本発明の第２実施形態によるポンプ装置を模式的に示す図である。
【図１１】本発明の第２実施形態によるポンプ装置に設けられる制御部及び表示器の要部構成を示すブロック図である。
【図１２】本発明の第２実施形態におけるユニットカバーに対する表示器の取り付け状態を示す斜視図である。
【図１３】本発明の第２実施形態における表示部の一例を示す図である。
【図１４】本発明の第３実施形態によるポンプ装置を模式的に示す図である。
【図１５】本発明の第３実施形態におけるユニットカバーに対する表示器の取り付け状態を示す斜視図である。
【図１６】本発明の第３実施形態によるポンプ装置に設けられる制御部及び表示器並びに外部表示器の要部構成を示すブロック図である。
【図１７】本発明の第３実施形態において外部表示器の表示画面に表示される情報の一例を示す図である。
【図１８】本発明の第３実施形態において外部表示器の表示画面に表示される情報の一例を示す図である。
【図１９】本発明の第３実施形態において外部表示器の表示画面に表示される情報の一例を示す図である。
【図２０】本発明の第３実施形態において外部表示器の表示画面に表示される情報の一例を示す図である。
【図２１】本発明の第４実施形態によるポンプ装置の構成及び設置例を模式的に示す図である。
【発明を実施するための形態】
【００１５】
以下、図面を参照して本発明の実施形態によるポンプ装置について詳細に説明する。
【００１６】
〔第１実施形態〕
図１は、本発明の第１実施形態によるポンプ装置の設置例を示す概念図である。図１に示す設置例において、ポンプ装置１は、地表面１００に形成された窪み１０１に埋設されている。窪み１０１の側面は、例えば、土管等で形成されており、窪み１０１の開口には、板体１０１ａが載置されている。この窪み１０１の深さは、ポンプ装置１の全高よりも少し大きい程度（例えば、５０ｃｍ程度）であり、ポンプ装置１の側面と窪み１０１の側面との間の隙間は、作業者の手が入る程度である。このように設置されたポンプ装置１は、水道本管、貯水槽、又は井戸等の水源１０２と吸込管１１０を介して接続され、給水先である建物内（例えば、家屋１０３内の蛇口１０４等）に吐出し管１１１を介して給水を行う。ポンプ装置１は屋外に設置され、農業用水、洗車、庭木の散水等として用いられる中水を給水したり、建物の２階床又は３階床で水道本管圧では圧力が不足してしまう場合の水道加圧給水にも用いられる。
【００１７】
図２は、本発明の第１実施形態によるポンプ装置のユニットカバーの内部を示す正面図である。図３は、本発明の第１実施形態によるポンプ装置を示す背面斜視図である。これら図２及び図３に示す通り、本実施形態のポンプ装置１は、水を汲み上げるポンプ１１、ポンプ１１の背面側に設けられてポンプ１１を駆動する電動機１２、及び電動機１２を制御する制御装置１３を備える。電動機１２は、ポンプ１１に固定されており、ポンプ１１及び制御装置１３は、ユニットベース１４上に固定されている。ユニットカバー１５は、ユニットベース１４上のポンプ１１、電動機１２、制御装置１３を覆っている。以下、ユニットカバー１５において、その内部の空間における天井面を形成する部分を上面１５Ｕと定義する。ユニットベース１４及びユニットカバー１５は、合成樹脂製である。
【００１８】
ポンプ１１は、摩擦ポンプとも称されるカスケードポンプであって、羽根車１１ａと、羽根車１１ａを収納する不図示のポンプ室を形成し、揚水の流路を形成するケーシング１１ｂとを備える。羽根車１１ａは、周縁部に多数の溝が切られた円板状に形成されており、その周縁部によってポンプ室に存在する水を、ほぼ１回転させながら昇圧させるものである。このポンプ１１は小型であるが、１個の羽根車１１ａで数段の渦巻ポンプに匹敵する揚程を得られ、小容量高揚程の目的に適している。また、カスケードポンプは、自吸性を有するので、ポンプ１１よりも低い位置に設置された受水槽に蓄えた水や井戸水を揚水するのに適している。
【００１９】
電動機１２は、羽根車１１ａを回転させることによりポンプ１１を駆動させる。本実施形態では、電動機１２の駆動は、制御装置１３によって制御されており、ポンプ１１の回転速度の可変速運転が可能とされている。ここで、制御装置１３にて可変速運転する必要がない場合は、制御装置１３は可変速手段を有さなくてもよい。ポンプ装置１の正面には、図２に示す通り、ユニットカバー１５から露出する吸込口１６と吐出し口１７とが設けられている。吸込口１６は、ケーシング１１ｂの内部に形成された内部流路の一端部と連通し、吸込管１１０と接続される。また、吐出し口１７は、この内部流路の他端部と連通し、吐出し管１１１と接続される。
【００２０】
制御装置１３は、不図示のインバータ装置を備えており、ケーシング１１ｂの内部に形成された内部流路に設けられた圧力センサ（図示省略）による吐出し圧力の検出結果に応じて、電動機１２を制御することによってポンプ１１の回転速度を制御する。例えば、制御装置１３は、公知の吐出圧一定制御や推定末端圧一定制御等の目標圧力と当該検出結果に基づいてポンプ１１の吐出し圧力を制御する。尚、ポンプ装置１によって加圧された水が吐出される吐出流路には、吐出し量や吐出し圧力の瞬時的変動を緩和する圧力タンク１８が設けられている。尚、圧力タンク１８は、ポンプ１１の下にユニットベース１４と一体的に形成されてもよい。
【００２１】
図４は、本発明の第１実施形態によるポンプ装置の制御装置を示す図であって、（ａ）は斜視図であり、（ｂ）は左側面図であり、（ｃ）は平面図である。図４に示す通り、制御装置１３は、上下方向に長い箱体であり、その上部にポンプ装置１の状態（運転状態を含む）を示す情報を表示する表示器１９を備える。一実施例として、表示器１９は、制御装置１３の左側面側に配置されたＬＥＤ等の表示ランプＬＱ１〜ＬＱ４（図５参照）を備えている。表示器１９は、これら表示ランプＬＱ１〜ＬＱ４を、制御装置１３の矢印ＡＲ（図２、図４（ｃ）参照）側からのみならず、平面側（上方）から視認可能となるように構成されている。
【００２２】
図５は、本発明の第１実施形態によるポンプ装置の制御装置に設けられる表示器の詳細を示す図であって、（ａ）は表示器１９の斜視図であり、（ｂ）は表示器１９を図２の矢印ＡＲ側から見た図である。図５に示す通り、表示器１９は、ＬＥＤ等の表示ランプＬＱ１〜ＬＱ４を備える。表示ランプＬＱ１は、電源のＯＮ・ＯＦＦを示す表示ランプであり、表示ランプＬＱ２は、異常の発生を示す表示ランプである。表示ランプＬＱ３は、ポンプの運転状況を示す表示ランプであり、表示ランプＬＱ４は、設定圧の選択を表示する表示ランプである。
【００２３】
表示ランプＬＱ１は、ポンプ装置１の電源がＯＮの場合には点灯し、電源がＯＦＦの場合には消灯する。表示ランプＬＱ２は、ポンプ装置１に異常が発生した場合には点灯又は点滅し、ポンプ装置１に異常が発生していない場合には消灯する。表示ランプＬＱ３は、ポンプ装置１が運転状態である場合には点灯し、停止状態である場合には消灯する。表示ランプＬＱ４は、設定圧に応じて点灯又は消灯する。例えば、ポンプ装置１に標準モードと強モードとの２つの設定圧が用意されている場合には、表示ランプＬＱ４は、強モードの場合には点灯し、標準モードの場合には消灯する。
【００２４】
表示器１９の上面には、平面側から表示ランプＬＱ１〜ＬＱ４を視認可能とするための切欠部ＮＴがそれぞれ設けられている。表示ランプＬＱ１〜ＬＱ４は、切欠部ＮＴの各々の奥側に形成された孔Ｈ内にそれぞれ配設されており、孔Ｈと切欠部ＮＴが形成する影によって表示ランプＬＱ１〜ＬＱ４の状態が視認しやすくなる。表示ランプＬＱ１〜ＬＱ４の点灯、点滅、消灯等を、制御装置１３の図２の矢印ＡＲ側からのみならず、平面側（上方）からも視認できるようになっている。
【００２５】
また、表示器１９は、表示ランプＬＱ１〜ＬＱ４に加えて操作ボタンＢ１，Ｂ２を備える。操作ボタンＢ１は、ポンプ装置１の運転停止を選択する操作ボタンであり、操作ボタンＢ２は、設定圧の選択を行う操作ボタンである。操作ボタンＢ１を押下するとポンプ装置１の運転又は停止を選択することができ、操作ボタンＢ２を押下すると設定圧を選択することができる。
【００２６】
例えば、ポンプ装置１に標準モードと強モードとの２つの設定圧が用意されている場合には、操作ボタンＢ２を押下することで、標準モードの設定圧にて吐出し圧力を制御するか、又は強モードの設定圧にて吐出し圧力を制御するかを選択することができる。操作ボタンＢ２が押下される度に、設定圧が標準モードから強モード、強モードから標準モードへと変更される。
【００２７】
例えば、散水等の標準モード時よりも高いポンプ１１の吐出し圧力が必要な場合は、標準モードの設定圧から強モード用の設定圧へと変更すれば良い。制御装置１３は、選択された設定圧に基づいて公知の吐出圧一定制御や推定末端圧一定制御等による目標圧力を演算し、ポンプ１１の吐出し圧力を制御する。尚、表示ランプＬＱ１〜ＬＱ４及び操作ボタンＢ１，Ｂ２の数、表示内容、表示方法、並びに操作方法等は上述に限らない。
【００２８】
また、図２及び図３に示す通り、ユニットカバー１５の上面１５Ｕの一部には、窓部１５ａ（視認可能部）が形成されている。この窓部１５ａは、ユニットベース１４上のポンプ１１、電動機１２、制御装置１３がユニットカバー１５によって覆われている状態で、ユニットカバー１５の外部（例えば、上部）から表示器１９の表示内容（ポンプ装置１の状態を示す情報）を視認可能とするものである。つまり、ユニットカバー１５を外すことなく、ユニットカバー１５の外部から表示器１９の表示内容（ポンプ装置１の状態を示す情報）を、切欠部ＮＴを介して視認可能とするものである。
【００２９】
具体的に、窓部１５ａは、ユニットカバー１５が、ユニットベース１４上のポンプ１１、電動機１２、制御装置１３を覆っている状態で、制御装置１３の切欠部ＮＴを通して視認可能な表示ランプＬＱ１〜ＬＱ４の上部に対向する部位に形成されている。つまり、ユニットカバー１５の窓部１５ａは、上部が表示器１９とされた制御装置１３の上方の位置に形成されている。このような位置に窓部１５ａを形成するのは、例えば図１に示す通り、地中に埋設されるポンプ装置１の状態を示す表示ランプＬＱ１〜ＬＱ４を、ユニットカバー１５を外すことなく、ユニットカバー１５の上方（平面側）から視認可能とするためである。
【００３０】
図６は、本発明の第１実施形態においてユニットカバーに形成される窓部の構成例を示す図である。図６（ａ）に示す窓部１５ａは、ユニットカバー１５の上面１５Ｕに矩形形状の切り欠きを形成し、その切り欠きに透明窓ＴＷを取り付けたものである。透明窓ＴＷは、変形しにくい透明樹脂（例えば、透明な強化プラスチック）によって形成されている。このような窓部１５ａでは、透明窓ＴＷを介してユニットカバー１５の内部を覗き込むことで、表示器１９の表示内容を視認することができる。
【００３１】
図６（ｂ）に示す窓部１５ａは、ユニットカバー１５の上面１５Ｕに矩形形状の切り欠きを形成し、その切り欠きに開き扉ＯＤ（扉部）を取り付けたものである。図中符号Ｄ１１が付された方向に開き扉ＯＤが引き上げられると、ユニットカバー１５の上面１５Ｕに形成された切り欠きが開放され、図中符号Ｄ１２が付された方向に開き扉ＯＤが引き下ろされると、ユニットカバー１５の上面１５Ｕに形成された切り欠きが閉鎖される。開き扉ＯＤによってユニットカバー１５の切り欠きが開放された場合には、その切り欠きを介してユニットカバー１５の内部を覗き込むことで、表示器１９の表示内容を視認することができる。他方、開き扉ＯＤによってユニットカバー１５の切り欠きが閉鎖された場合には、ユニットカバー１５の内部を視認することはできない。尚、開き扉ＯＤは、例えば不透明な樹脂によって形成されてもよい。ポンプ１１は水を取り扱うため、ユニットカバー１５の内部に結露が発生し、透明窓ＴＷが曇ってしまって表示ランプＬＱ１〜ＬＱ４の状態が視認できなくなる虞がある。そのため、切り欠きを開放し、その切り欠きを介してユニットカバー１５の表示ランプＬＱ１〜ＬＱ４の状態を確認できるとよい。
【００３２】
図６（ｃ）に示す窓部１５ａは、ユニットカバー１５の上面１５Ｕに矩形形状の切り欠きを形成し、その切り欠きに引き戸ＳＤ（扉部）を取り付けたものである。図中符号Ｄ２１が付された方向に引き戸ＳＤがスライドされると、ユニットカバー１５の上面１５Ｕに形成された切り欠きが開放され、図中符号Ｄ２２が付された方向に引き戸ＳＤがスライドされると、ユニットカバー１５の上面に形成された切り欠きが閉鎖される。引き戸ＳＤによってユニットカバー１５の切り欠きが開放された場合には、その切り欠きを介してユニットカバー１５の内部を覗き込むことで、表示器１９の表示内容を視認することができる。他方、引き戸ＳＤによってユニットカバー１５の切り欠きが閉鎖された場合には、ユニットカバー１５の内部を視認することはできない。尚、引き戸ＳＤは、開き扉ＯＤと同様に、例えば不透明な樹脂によって形成されてもよい。
【００３３】
尚、図６（ａ）に示す構成例と図６（ｂ）又は図６（ｃ）に示す構成例とを組み合わせても良い。具体的には、ユニットカバー１５の上面１５Ｕに形成された切り欠きに対し、図６（ａ）に示す透明窓ＴＷが取り付けられ、且つ、図６（ｂ）に示す開き扉ＯＤ又は図６（ｃ）に示す引き戸ＳＤが取り付けられた窓部１５ａとしても良い。また、図６（ａ）に示す例では、透明窓ＴＷによってユニットカバー１５の一部が透明とされているが、ユニットカバー１５の全体を透明としても良い。つまり、透明樹脂を用いてユニットカバー１５を設けても良い。
【００３４】
図７は、本発明の第１実施形態においてユニットカバーに形成される窓部の他の構成例を示す図である。図７（ａ）に示す窓部１５ａは、図６（ａ）に示す透明窓ＴＷの内側（ユニットカバー１５の内側）に、図７（ｂ）に示すシール部材ＳＬを貼付したものである。シール部材ＳＬは遮光性を有する部材であり、表示ランプＬＱ１〜ＬＱ４の各々に対向する部分がくり抜かれたものである。本構成例の窓部１５ａは、シール部材ＳＬを、ユニットカバー１５の内側から透明窓ＴＷに貼付することで、表示ランプＬＱ１〜ＬＱ４の周辺に外部の光が届かないため、表示ランプＬＱ１〜ＬＱ４の状態が視認しやすくなる。また、図７（ｂ）に示す通り、シール部材ＳＬに表示器１９の表示内容を記載することで更に視認性が向上する。
【００３５】
図８は、本発明の第１実施形態における表示器の第１変形例を示す図であって、（ａ）は平面図であり、（ｂ）は制御装置を図２の矢印ＡＲ側から見た図である。図８に示す通り、本変形例に係る表示器１９は、その上面に表示ランプＬＱ１〜ＬＱ４を備えており、制御装置１３の上面に設けられる。この表示器１９は、図５に示す表示器１９よりも窓部１５ａと表示ランプＬＱ１〜ＬＱ４との距離が近くなり、表示器１９の表示内容を視認しやすくなる。
【００３６】
図９は、本発明の第１実施形態における表示器の第２変形例を示す図であって、（ａ）は平面図であり、（ｂ）は制御装置を図２の矢印ＡＲ側から見た透視図である。図９に示す通り、本変形例に係る表示器１９は、その上面に凹型の切欠部ＮＴ１が複数形成されており、各々の孔Ｈ１内に表示ランプＬＱ１〜ＬＱ４がそれぞれ設けられたものである。尚、この表示器１９は、図８に示す表示器１９と同様に、制御装置１３の上面に設けられる。この表示器１９は、窓部１５ａから表示器１９の表示内容を視認した場合に、切欠部ＮＴ１の影が形成されるため、表示ランプＬＱ１〜ＬＱ４の点灯状態が視認しやすくなる。このような表示器１９は、例えば、図１に示す板体１０１ａを開けると、直射日光が当たるような明るい場所にポンプ装置１が設置される場合に有効である。
【００３７】
以上の通り、本実施形態では、ユニットベース１４上のポンプ１１、電動機１２、制御装置１３を覆っているユニットカバー１５の上面１５Ｕの少なくとも一部に窓部１５ａを設け、窓部１５ａを介してユニットカバー１５の内部を覗き込むことで、表示器１９の表示内容を視認できるようにしている。これにより、ポンプ装置１が図１のように作業性の悪い環境に設置されていたとしても、ユニットカバー１５を外すことなく、運転状態や警報等を容易に確認することができる。
【００３８】
〔第２実施形態〕
図１０は、本発明の第２実施形態によるポンプ装置を模式的に示す図である。図１０（ａ）は、図１０（ｂ）中のＡ−Ａ線に沿う模式的な断面矢視図であり、図１０（ｂ）は、平面図である。尚、本実施形態のポンプ装置２は、図１に示すポンプ装置１と同様に、ポンプ１１、電動機１２、制御装置１３、ユニットベース１４、ユニットカバー１５、吸込口１６、吐出し口１７、及び圧力タンク１８等を備えているが、図１０においては図示を簡略化するために、ポンプ１１、電動機１２、吸込口１６、吐出し口１７、及び圧力タンク１８の図示を省略している。尚、本実施形態のポンプ装置２も、図１に示すポンプ装置１と同様に、地表面１００に形成された窪み１０１に埋設されて設置されることがある。
【００３９】
図１０（ａ）に示す通り、本実施形態のポンプ装置２は、制御装置１３の上部に設けられた制御部２０と、ユニットカバー１５の上面１５Ｕの内壁に取り付けられた表示器３０とを備えており、制御部２０と表示器３０との間で無線通信（或いは、有線通信）を行って、ポンプ装置２の状態を示す情報をユニットカバー１５に取り付けられた表示器３０に表示するものである。以下、制御部２０と表示器３０との間の通信を第１近距離通信Ｃ１と記す。第１近距離通信Ｃ１は、例えばＷｉ−Ｆｉ（登録商標）やＢｌｕｅｔｏｏｔｈ（登録商標）等の無線通信、或いはＮＦＣ（Near Field Communication）等の近距離無線通信を行う。また、ＲＳ２３２ＣやＲＳ４８５等にてシリアル通信を行ってもよいし、ＵＳＢにてパケット通信を行ってもよい。尚、以下では、ＮＦＣにて第１近距離通信Ｃ１を行う場合を例に挙げて説明する。
【００４０】
図１１は、本発明の第２実施形態によるポンプ装置に設けられる制御部及び表示器の要部構成を示すブロック図である。図１１に示す通り、制御部２０は、Ｉ／Ｏ部２１、演算部２２、記憶部２３、設定部２４、ＤＣ電源２５、データライタ２６、及び制御部側アンテナ部２７を備える。Ｉ／Ｏ部２１は、制御装置１３に設けられた不図示のインバータ及びケーシング１１ｂに設けられた不図示の圧力センサ等の各種センサと接続されており、各種センサの検出結果を演算部２２に出力するとともに演算部２２からの指令信号（例えば、ポンプ１１の回転速度）を電動機１２に出力する。また、Ｉ／Ｏ部２１は、ポンプ装置２の状態を接点信号で出力する不図示の外部出力端子を備えてもよい。
【００４１】
演算部２２は、例えばＣＰＵ（中央処理装置）によって実現され、Ｉ／Ｏ部２１を介して入力される各種センサ等の検出結果に基づいて、電動機１２に出力する指令信号を演算し、その指令信号をＩ／Ｏ部２１に出力する。また、演算部２２は、ポンプ装置２の状態を示す情報（吐出し圧力、回転数、積算運転時間、積算運転回数等）を求めて記憶部２３に記憶させる。記憶部２３は、演算部２２で用いられる各種情報、及び演算部２２で求められた各種情報を記憶する各種メモリを備える。
【００４２】
設定部２４は、ポンプ装置２の運転制御に関する各種設定値の設定を行う部位である。具体的に、設定部２４には、第１実施形態のポンプ装置１と同様に、例えば操作ボタンＢ１，Ｂ２等の各種操作ボタンが設けられており、更にはリセットボタン等が設けられているとよい。設定部２４は、これらのボタンの操作状況に応じて、ポンプ装置２の運転制御に関する各種設定値の設定を行う。尚、設定部２４で設定された各種設定値は、記憶部２３に記憶される。
【００４３】
ＤＣ電源２５は、制御部側アンテナ部２７等に対する電力の供給を行う電源であり、ポンプ装置２の主電源より不図示のＡＣ／ＤＣコンバータを介して供給される。データライタ２６は、記憶部２３に記憶された各種情報を読み出して、制御部側アンテナ部２７を介して表示器３０に送信する。制御部側アンテナ部２７は、ＤＣ電源２５から供給される電力を用いて、表示器３０を動作させるための電力を非接触で表示器３０に給電する。また、制御部側アンテナ部２７は、データライタ２６から出力される各種情報を無線信号にして外部に送信する。
【００４４】
図１１に示す通り、表示器３０は、表示器側アンテナ部３１、集積回路３２、及び表示部３３を備える。これら表示器側アンテナ部３１、集積回路３２、及び表示部３３は、制御部２０から非接触で給電される電力によって動作する。表示器側アンテナ部３１は、制御部２０に設けられた制御部側アンテナ部２７から非接触で給電される電力を受電するとともに、制御部側アンテナ部２７との間でＮＦＣを行って制御部２０から送信されてくる各種情報を受信する。尚、表示器３０は、更にバッテリを備え、制御部２０から非接触で給電される電力を蓄電してもよい。その場合、表示器３０は、バッテリに蓄電した電力により動作してもよい。また、表示器３０が何かしら電源の供給源を備えており、その電源にて動作できる場合は、制御部２０は、表示器３０を動作させるための電力を表示器３０に給電しなくてもよい。
【００４５】
集積回路３２は、制御部２０から送信されてきて、表示器側アンテナ部３１で受信された各種情報を記憶するとともに、これら各種情報に基づいて表示部３３の表示制御を行う。表示部３３は、７セグメントＬＥＤ、ＬＥＤ等の表示ランプ、或いは液晶表示素子の表示素子を備えており、集積回路３２の制御の下で、ポンプ装置２の状態を示す情報を表示する。
【００４６】
このような表示器３０は、図１０（ａ），（ｂ）に示す通り、ユニットカバー１５に形成された窓部１５ａを介して外部から視認可能な状態で、ユニットカバー１５に取り付けられている。具体的に、表示器３０は、表示部３３を窓部１５ａの透明窓ＴＷ側に密接させて、図１２に示す通り、ユニットカバー１５の上面１５Ｕの内壁に取り付けられている。これにより、表示器３０の表示部３３は、透明窓ＴＷを介して外部から視認可能になっている。図１２は、本発明の第２実施形態におけるユニットカバーに対する表示器の取り付け状態を示す斜視図である。尚、図１２に示す通り、表示器３０は、ユニットカバー１５の上面１５Ｕの内壁に取り付けられていることから、ユニットカバー１５を取り外すと、ユニットカバー１５の底部の開口部ＯＰから視認することが可能である。
【００４７】
図１３は、本発明の第２実施形態における表示部の一例を示す図である。図１３に示す通り、表示器３０の表示部３３には複数の表示ランプＬＰ１〜ＬＰ５が設けられている。表示ランプＬＰ１は、ポンプ装置２が運転状態であるか否かを表示するための表示ランプである。表示ランプＬＰ２は、ポンプ装置２が故障状態であるか否かを表示するための表示ランプである。表示ランプＬＰ３〜ＬＰ５は、ポンプ装置２の設定圧を表示するための表示ランプである。具体的に、表示ランプＬＰ３，ＬＰ４，ＬＰ５はそれぞれ、ポンプ装置２の設定圧が「高」，「中」，「低」に設定された旨を表示するものであり、何れか１つのみが排他的に点灯する。
【００４８】
次に、上記構成におけるポンプ装置２の動作について説明する。尚、ここでは、ユニットカバー１５が、ポンプ装置２に取り付けられる際の動作について説明する。ユニットカバー１５が、ユニットベース１４上の制御装置１３等を覆うように装着されると、ユニットカバー１５の上面１５Ｕの内壁に取り付けられた表示器３０が、制御装置１３の上部に設けられた制御部２０の近傍に配置される。
【００４９】
制御部２０は、通電中は常に表示器３０の電力供給用の電波を発する。表示器３０が、制御部２０の近傍に位置する表示器３０の表示器側アンテナ部３１で、その電波を受信すると、表示器側アンテナ部３１において起電力が生ずる。この起電力は、表示器３０の集積回路３２及び表示部３３に供給され、これにより表示器３０の表示器側アンテナ部３１、集積回路３２、及び表示部３３が通電状態になる。
【００５０】
制御部２０では、記憶部２３に記憶された各種情報がデータライタ２６によって読み出される。例えば、ポンプ装置２の運転状態を示す情報、故障を示す情報、及び吐出し圧力を示す情報等が読み出される。データライタ２６によって読み出された情報は、制御部側アンテナ部２７にて出力され、ＮＦＣによって表示器３０に送信される。
【００５１】
制御部２０から表示器３０に送信された情報は、表示器３０の表示器側アンテナ部３１で受信された後に集積回路３２に出力されて記憶される。そして、表示器３０では、集積回路３２によって、制御部２０から表示器３０に送信された情報に基づく表示部３３の表示制御が行われる。例えば、ポンプ装置２の運転状態を示す情報が「運転中」である旨を示す場合には、図１３に示す表示ランプＬＰ１を点灯させる表示制御が行われる。また、ポンプ装置２の故障を示す情報に応じて、図１３に示す表示ランプＬＰ２を点灯または点滅させる表示制御が行われる。更に、ポンプ装置２の設定圧を示す情報に応じて、図１３に示す表示ランプＬＰ３〜ＬＰ５の何れかを点灯させる表示制御が行われる。
【００５２】
以上説明した表示器３０が通電状態となった以降の一連の制御部２０と表示器３０との通信に関わる動作は、予め規定された周期で繰り返し行われる。これにより、表示器３０の表示部３３には、上記の周期に応じてポンプ装置２の状態を示す情報が連続的、或いは間欠的に更新される。具体的に、上記の周期が短い場合（例えば、１秒以下の場合）には、ポンプ装置２の状態を示す情報が連続的に更新され、上記の周期が長い場合（例えば、数十秒程度以上の場合）には、ポンプ装置２の状態を示す情報が間欠的に更新される。表示部３３には、更新のタイミングにて最新の情報が表示されるとよい。上記の周期は、集積回路３２や演算部２２が実行する処理量にて規定されることもある。
【００５３】
以上の通り、本実施形態では、ユニットカバー１５に形成された窓部１５ａを介して外部から視認可能なように、第１近距離通信Ｃ１が可能な表示器３０をユニットカバー１５に取り付け、ユニットカバー１５が装着されたときに、ユニットカバー１５の表示器３０の表示器側アンテナ部３１が、制御装置１３の上部に設けられた制御部２０の制御部側アンテナ部２７の近傍に配置されるようにしている。そして、ポンプ装置２の状態を示す情報を、第１近距離通信Ｃ１（ＮＦＣ）によって送信して表示器３０の表示部３３に表示するようにしている。これにより、ポンプ装置１が作業性の悪い環境に設置されていたとしても、ユニットカバー１５を外すことなく、運転状態や警報等を容易に確認することができる。
【００５４】
また、本実施形態では、表示器３０の表示部３３をユニットカバー１５に形成された窓部１５ａの透明窓ＴＷ側に密接させた状態にしているため、第１実施形態よりも視認性を向上させることができ、視野角を広げることができる。また、表示器３０の表示部３３が透明窓ＴＷ側に密接しているため、視認性を低下させない程度に表示ランプＬＰ１〜ＬＰ５の輝度を低下させることができ、これにより低消費電力化を図ることができる。また、ユニットベース１４に固定された制御部２０と、ユニットカバー１５に取り付けられた表示器３０との間では無線（ＮＦＣ）によって情報の送受信が行われ、制御部２０と表示器３０との間に通信線を配線する必要が無い。更に、制御部２０から表示器３０へ非接触で電力が供給されれば、表示器３０には電力線を配線する必要も無い。このように、表示器３０には配線がないことから、ユニットベース１４からユニットカバー１５を取り外したり、ユニットベース１４にユニットカバー１５を取り付けたりするときに、配線を気にする必要が無い。
【００５５】
〔第３実施形態〕
図１４は、本発明の第３実施形態によるポンプ装置を模式的に示す図である。図１４は、図１０（ａ）と同様の模式的な断面矢視図である。尚、図１４においては、図１０と同様に、ポンプ１１、電動機１２、吸込口１６、吐出し口１７、及び圧力タンク１８の図示を省略している。尚、本実施形態のポンプ装置３も、図１に示すポンプ装置１と同様に、地表面１００に形成された窪み１０１に埋設されて設置されることがある。
【００５６】
図１４に示す通り、本実施形態のポンプ装置３は、制御装置１３の上部に設けられた制御部４０と、ユニットカバー１５に取り付けられた表示器５０とを備えており、制御部４０と表示器５０との間で無線通信（或いは、有線通信）を行って、ポンプ装置３の状態を示す情報をユニットカバー１５に取り付けられた表示器５０に表示するものである。また、本実施形態のポンプ装置３は、ユニットカバー１５の外部の機器である外部表示器６０と無線通信を行って、ポンプ装置３の状態を示す情報を外部表示器６０の表示画面ＤＰに表示可能とするものである。尚、以下では、制御部４０と表示器５０との間の通信を第１近距離通信Ｃ１とし、表示器５０と外部表示器６０との間の通信を第２近距離通信Ｃ２と定義する。本実施形態の第１近距離通信Ｃ１並びに第２近距離通信Ｃ２は、ＮＦＣにて通信を行う場合を例に挙げて説明する。
【００５７】
表示器５０は、図１０に示す表示器３０と同様に、ユニットカバー１５に形成された窓部１５ａを介して外部から視認可能な状態で、ユニットカバー１５に取り付けられている。つまり、表示器５０の表示部５４（詳細は後述する）は、窓部１５ａの透明窓ＴＷを介して、外部から視認可能である。また、表示器５０は、図１５に示す通り、ユニットカバー１５の上面１５Ｕの内壁に着脱可能に取り付けられている。
【００５８】
図１５は、本発明の第３実施形態におけるユニットカバーに対する表示器の取り付け状態を示す斜視図である。図１５に示す通り、ユニットカバー１５の上面１５Ｕの内壁において表示器５０が取り付けられるべき位置（以下、「取り付け位置」という）には、先端部が鉤部Ｑとされた略Ｌ字形状の支持柱１５ｂが４本形成されている。支持柱１５ｂは、鉤部Ｑが向かい合うように配置された２本が対とされており、図中符号Ｄ３０が付された方向に２対配列されている。
【００５９】
図１５に示す通り、表示器５０の外径形状は略直方体形状である。対をなす２本の支持柱１５ｂの間隔は表示器５０の幅ＷＨ１と同程度に設定されており、図中符号Ｄ３０が付された方向における支持柱１５ｂの間隔は図中符号Ｄ３０が付された方向における表示器５０の長さＬＨ１よりも短く設定されている。このため、表示器５０は、取り付け位置において、４本の支持柱１５ｂの柱部（鉤部Ｑを除く部分）によって幅ＷＨ１方向の移動が規制され、且つ４本の支持柱１５ｂの鉤部Ｑによって底面（透明窓ＴＷ側を向く面とは反対側の面）が支持される。
【００６０】
取り付け位置に取り付けられた表示器５０を長さ方向（図中符号Ｄ３０が付された方向）にスライドさせれば、表示器５０を取り外すことができる。また、表示器５０の長さ方向を符号Ｄ３０が付された方向に沿うようにし、且つ対をなす２本の支持柱１５ｂの間に表示器５０を配置した状態で、表示器５０を長さ方向（図中符号Ｄ３０が付された方向）にスライドさせれば、表示器５０を取り付け位置に移動させることができる。このように、表示器５０がユニットカバー１５の上面内壁に着脱可能に取り付けられていることで、例えば表示器５０が故障した際の交換作業を容易に行うことができる。また、表示器５０は鉤部Ｑが嵌合する窪みや位置の目安となる印を設けてもよい。
【００６１】
図１６は、本発明の第３実施形態によるポンプ装置に設けられる制御部及び表示器並びに外部表示器の要部構成を示すブロック図である。図１６に示す通り、制御部４０は、Ｉ／Ｏ部４１、演算部４２、記憶部４３、メンテナンスポート４４、ＤＣ電源４５、リーダライタ４６、及び制御部側アンテナ部４７を備える。Ｉ／Ｏ部４１、演算部４２、記憶部４３、ＤＣ電源４５、及び制御部側アンテナ部４７はそれぞれ、図１１に示すＩ／Ｏ部２１、演算部２２、記憶部２３、ＤＣ電源２５、及び制御部側アンテナ部２７と同様のものである。
【００６２】
メンテナンスポート４４は、ポンプ装置３のメンテナンス時に、作業者によって使用されるポートである。このポートは、通常は、カバー等によって覆われて外部から隠された状態にされている。このポートは、通信（無線・有線）にてメンテナンスで用いられる保守機器（パソコン、スマートフォン、タブレット等の汎用の情報機器や専用の情報機器等）が接続可能であり、例えば記憶部４３に記憶された各種情報を保守機器に読み出すために用いられる。リーダライタ４６は、図１１に示すデータライタ２６と同様に、記憶部４３に記憶された各種情報を読み出して、制御部側アンテナ部４７を介して表示器５０に送信し、或いは、制御部側アンテナ部４７で受信された各種情報を読み出して記憶部４３に記憶させる。
【００６３】
図１６に示す通り、表示器５０は、表示器側アンテナ部５１、制御部用集積回路５２、リーダライタ５３、表示部５４、外部表示器用集積回路５５、及び表示器側アンテナ部５６を備える。表示器側アンテナ部５１、制御部用集積回路５２、リーダライタ５３、及び表示部５４は、制御部４０から非接触で給電される電力によって動作し、外部表示器用集積回路５５及び表示器側アンテナ部５６は、外部表示器６０から非接触で給電される電力によって動作する。尚、外部表示器用集積回路５５は、制御部用集積回路５２にて代用してもよい。その場合、制御部用集積回路５２と表示器側アンテナ部５６とが接続される。また、表示器５０が独自の電源で動作できれば、制御部４０又は外部表示器６０は、表示器５０に給電しなくてもよい。
【００６４】
表示器側アンテナ部５１、制御部用集積回路５２、及び表示部５４はそれぞれ、図１１に示す表示器側アンテナ部３１、集積回路３２、及び表示部３３と同様のものである。リーダライタ５３は、表示器側アンテナ部５１と外部表示器用集積回路５５との間で各種情報の授受を行う。外部表示器用集積回路５５は、外部表示器６０から送信されてきて、表示器側アンテナ部５６で受信された各種情報を記憶する。表示器側アンテナ部５６は、外部表示器６０に設けられた外部表示器側アンテナ部６１から非接触で給電される電力を受電するとともに、外部表示器側アンテナ部６１との間で第２近距離通信Ｃ２を行って外部表示器６０から送信されてくる各種情報を受信する。
【００６５】
図１６に示す通り、外部表示器６０は、外部表示器側アンテナ部６１、バッテリ６２、リーダライタ６３、及び表示部６４を備えており、表示器５０と第２近距離通信Ｃ２を行って、ポンプ装置３の状態を示す情報を表示部６４である外部表示器６０の表示画面ＤＰに表示する。この外部表示器６０は、例えばスマートフォン、タブレット、パソコン等の汎用情報機器によって実現される。外部表示器側アンテナ部６１は、バッテリ６２から供給される電力を用いて、表示器５０を動作させるための電力を非接触で表示器５０に給電する。また、外部表示器側アンテナ部６１は、表示器側アンテナ部５６から出力される各種情報を受信する。
【００６６】
バッテリ６２は、外部表示器側アンテナ部６１等に対する電力の供給を行う電源である。リーダライタ６３は、外部表示器側アンテナ部６１で受信された各種情報を読み出して表示部６４に出力する。或いは、リーダライタ６３は、不図示の入力部から入力された設定値やポンプ装置３の運転や停止指令等を外部表示器側アンテナ部６１に送ることによって、第２近距離通信Ｃ２から第１近距離通信Ｃ１を経て記憶部４３に記憶させることもできる。表示部６４は、例えば液晶表示器等の表示器を備えており、表示器５０から得られたポンプ装置３の状態を示す情報を表示する表示画面ＤＰである。尚、外部表示器６０がスマートフォンやタブレット等によって実現される場合には、表示画面ＤＰがタッチパネルを備えていることから、表示画面ＤＰが上記の入力部になる。
【００６７】
次に、上記構成におけるポンプ装置３の状態を示す情報を表示する動作について説明する。ポンプ装置３の状態を示す情報を表示する動作は、制御部４０から表示器５０へポンプ装置３の状態を示す情報を送信する動作と、外部表示器６０がポンプ装置３の状態を示す情報を表示器５０から取得して、表示画面ＤＰに表示する動作とに大別される。前者の動作は、第２実施形態で説明した動作とほぼ同様であるため説明を省略し、以下では、後者の動作（ポンプ装置３の状態を示す情報を外部表示器６０が取得して表示画面ＤＰに表示する動作）について説明する。尚、説明を簡単にするために、表示器５０に設けられた制御部用集積回路５２及び外部表示器用集積回路５５には同じ情報が記憶されているとする。
【００６８】
ポンプ装置３に装着されたユニットカバー１５の上面１５Ｕに形成された窓部１５ａに対し、外部表示器６０が近接配置された状態にされたとする。この状態のときに、外部表示器６０から電力供給用の電波が発せられると、その電波は、表示器５０の表示器側アンテナ部５６で受信される。すると、表示器側アンテナ部５６において起電力が生ずる。この起電力は、表示器５０の外部表示器用集積回路５５に供給され、これにより外部表示器用集積回路５５が通電状態になる。
【００６９】
すると、外部表示器用集積回路５５は記憶しているデータ（例えば、ポンプ装置３の運転状態を示す情報、故障を示す情報、及び吐出し圧力を示す情報等）を、表示器側アンテナ部５６に出力し、第２近距離通信Ｃ２によって外部表示器６０に送信される。
【００７０】
表示器５０から外部表示器６０に送信されたポンプ装置３の状態を示す情報は、外部表示器６０の外部表示器側アンテナ部６１で受信された後にリーダライタ６３を介して表示部６４に出力される。そして、表示部６４では、表示器５０から外部表示器６０に送信されたポンプ装置３の状態を示す情報に基づいた表示が行われる。前述の通り、外部表示器６０の表示部６４には、例えば液晶表示器等の表示器が設けられていることから、多様な表示が可能である。
【００７１】
図１７〜図２０は、本発明の第３実施形態において外部表示器の表示画面に表示される情報の一例を示す図である。図１７において、外部表示器６０の表示画面ＤＰに表示されている情報Ｗ１は、ポンプ装置３の現在状態を示す情報である。図１７に示す例では、ポンプ装置３の現在状態を示す情報Ｗ１として、ポンプ装置３の運転状態、ポンプ１１の吐出し圧力、ポンプ１１の回転速度、電動機１２の電流値、ポンプ装置３の電源の入力電圧、ポンプ１１の積算運転時間、ポンプ１１の積算運転回数が表示されている。尚、これらの情報Ｗ１は、例えばアイコン等を用いてアニメーションにて表示しても良い。
【００７２】
図１８において、外部表示器６０の表示画面ＤＰに表示されている情報Ｗ２は、ポンプ装置３の故障履歴を示す情報である。図１８に示す例では、ポンプ装置３の故障履歴を示す情報Ｗ２として、４つの故障履歴（ポンプ加熱、インバータトリップ、吐出し圧力異常低下、及びポンプ加熱）が表示されている。また、故障履歴の各々に対して、故障の発生日時及び復帰日時が対応付けて表示されている。これら各種履歴は、演算部４２で演算されて記憶部４３に記憶された情報である。
【００７３】
図１９において、外部表示器６０の表示画面ＤＰに表示されている情報Ｗ３は、ポンプ装置３の吐出し圧力の経時変化を示す情報である。図１９に示す例では、ポンプ装置３の吐出し圧力の経時変化を示す情報Ｗ３が、時間を横軸にとり、吐出し圧力を縦軸に取ったグラフにて表示されている。また、図１９に示す例では、ポンプ装置３の運転状態（ポンプ１１の運転のＯＮ／ＯＦＦ）の切り替わりを示すグラフが重ねて表示されている。尚、フロースイッチ（小水量状態を検出する流量検出器）の検出結果の経時変化を示すグラフ、電動機１２に流れる電流値の経時変化を示すグラフ、並びに故障の発生日時及び復帰日時を重ねて表示してもよいし、状態毎に単独のグラフにて表示してもよい。これら各種履歴は、第１近距離通信Ｃ１及び第２近距離通信Ｃ２を用いて外部表示器６０にて取得した各値の瞬時値を、外部表示器６０のリーダライタ６３にて記憶し、更に外部表示器６０の表示画面ＤＰに表示してもよい。
【００７４】
図２０において、外部表示器６０の表示画面ＤＰに表示されている情報Ｗ４は、ポンプ装置３の設定値を示す情報である。図２０に示す例では、ポンプ装置３の設定値を示す情報Ｗ４として、始動圧、停止圧、加速時間、減速時間等が表示されている。尚、この情報Ｗ４が表示されている画面において、表示されている設定値の変更を可能とし、その変更された設定値を、外部表示器６０と表示器５０との間のＮＦＣ（第２近距離通信）、及び表示器５０と制御部４０とのＮＦＣ（第１近距離通信）によって、ポンプ装置３に設定可能としても良い。外部表示器６０より変更された設定値は、記憶部４３の不揮発性メモリに記憶するとよい。
【００７５】
以上の通り、本実施形態では、ユニットカバー１５に形成された窓部１５ａを介して外部から視認可能なように、第１近距離通信Ｃ１及び第２近距離通信Ｃ２が可能な表示器５０をユニットカバー１５に取り付け、ポンプ装置３の状態を示す情報を、表示器５０から外部表示器６０に第２近距離通信Ｃ２によって送信して外部表示器６０の表示部６４に表示するようにしている。これにより、ポンプ装置３が作業性の悪い環境に設置されていたとしても、ユニットカバー１５を外すことなく、運転状態や警報等の多様な情報を容易に確認することができる。
【００７６】
また、本実施形態では、第２実施形態と同様に、表示器５０の表示部５４をユニットカバー１５に形成された窓部１５ａの透明窓ＴＷ側に密接させた状態にしているため、視認性を向上させることができ、視野角を広げることができる、更には低消費電力化を図ることができる。また、ユニットベース１４に固定された制御部４０と、ユニットカバー１５に取り付けられた表示器５０との間ではＮＦＣによって情報の送受信及び非接触給電が行われることから、第２実施形態と同様に、ユニットカバー１５を取り外すときに配線を気にする必要が無い。
【００７７】
尚、上述した第３実施形態の変形例として、表示器５０に代えて、表示器５０から表示部５４が省略されたもの（通信器）を用いることができる。この通信器は、制御部４０との間の第１近距離通信Ｃ１及び外部表示器６０との間の第２近距離通信Ｃ２がＮＦＣによって可能であり、制御部４０との外部表示器６０との間の通信を中継する中継器ということもできる。
【００７８】
このような通信器を用いる場合には、ユニットカバー１５の内部を視認するための窓部１５ａを省略することが可能である。但し、ＮＦＣは通信距離が数センチメートルと短いため、外部表示器６０が通信器に近接配置されなければ、外部表示器６０と通信器との間の第２近距離通信が行われず、ポンプ装置３の状態を示す情報が外部表示器６０に表示されない。また、外部表示器６０と通信器との間に電波を妨害するような障害（例えば金属製の板）があると通信できない。このため、ユニットカバー１５の上面には、通信器との間のＮＦＣが可能な部位（視認可能部）である旨を示すマークを付すのが望ましい。
【００７９】
〔第４実施形態〕
図２１は、本発明の第４実施形態によるポンプ装置の構成及び設置例を模式的に示す図である。図２１に示す通り、本実施形態のポンプ装置４は、地上ユニット７０と水中ポンプ８０とを備えており、これら地上ユニット７０と水中ポンプ８０とが揚水管ＴＢによって接続された構成である。このようなポンプ装置４は、いわば第３実施形態のポンプ装置３が備えるポンプ１１及び電動機１２を水中ポンプ８０としてユニットカバー１５の外部に設けたものであり、例えば深井戸ＤＷから水を汲み上げるのに適したものである。
【００８０】
地上ユニット７０は、概して第３実施形態のポンプ装置３からポンプ１１及び電動機１２を省略した構成である。具体的に、地上ユニット７０は、ユニットベース１４上に固定された制御装置１３及び圧力タンク１８、これらを覆うユニットカバー１５、制御装置１３の上部に設けられた制御部４０、及びユニットカバー１５に取り付けられた表示器５０を備える。尚、図２１では、ユニットカバー１５内にて、用水の流路を形成するケーシングや配管及び圧力タンク１８の図示を省略している。このような地上ユニット７０は、水中ポンプ８０から揚水される水を、揚水管ＴＢを介し、更には、吐出し管１１１を介して給水先に給水する。地上ユニット７０は、例えば第１〜第３実施形態のポンプ装置１〜３と同様に、地表面１００に形成された窪み１０１に埋設されて設置されることがある。
【００８１】
地上ユニット７０は、第３実施形態のポンプ装置３と同様に、制御部４０と表示器５０との間で第１近距離通信Ｃ１を行って、ポンプ装置４の状態を示す情報をユニットカバー１５に取り付けられた表示器５０に表示することが可能である。また、地上ユニット７０は、外部表示器６０と第２近距離通信Ｃ２を行って、ポンプ装置４の状態を示す情報を外部表示器６０の表示画面ＤＰに表示することが可能である。
【００８２】
水中ポンプ８０は、ポンプ８１及び水中電動機８２を備える外径形状が略円柱形状のものであり、水中に没した状態で使用される。ポンプ８１は、例えばステンレス製のポンプであり、水中電動機８２によって駆動される。水中電動機８２は、制御装置１３の制御の下で、ポンプ８１を駆動する。水中ポンプ８０は、例えば図２１に示す通り、窪み１０１から下方に掘られた深井戸ＤＷにおいて、水面ＷＬよりも下方に位置する（水中に没する）ように配置され、揚水管ＴＢを介して地上ユニット７０に水を揚水する。尚、水中電動機８２は、揚水管ＴＢと略平行に配線される水中ケーブル（図示省略）を介して地上ユニット７０に接続される。制御装置１３にて演算された制御信号及び水中電動機８２の電力は、この水中ケーブルを介して水中電動機８２に入力されるようになっている。
【００８３】
以上の通り、本実施形態では、第３実施形態のポンプ装置３と同様に、第１近距離通信Ｃ１及び第２近距離通信Ｃ２が可能な表示器５０をユニットカバー１５の上面１５Ｕに取り付け、ポンプ装置４の状態を示す情報を、表示器５０から外部表示器６０に第２近距離通信Ｃ２によって送信して外部表示器６０の表示部６４に表示するようにしている。これにより、ポンプ装置４が作業性の悪い環境に設置されていたとしても、ユニットカバー１５を外すことなく、運転状態や警報等の多様な情報を容易に確認することができる。尚、本実施形態でも、上述した第３実施形態の変形例（表示器５０に代えて、表示器５０から表示部５４が省略されたもの（通信器））を適用することができ、更には、ユニットカバー１５の窓部１５ａを省略し、通信器との間のＮＦＣが可能な部位（視認可能部）である旨を示すマークをユニットカバー１５の上面に付すのが望ましい。
【００８４】
以上、本発明の実施形態によるポンプ装置について説明したが、本発明は上述した実施形態に制限されることなく、本発明の範囲内で自由に変更が可能である。例えば、上述した第２実施形態においても、第３実施形態と同様に、表示器３０をユニットカバー１５の上面内壁に着脱可能に取り付けても良い。また、上記実施形態で説明したポンプ装置１〜３は、１つのポンプを備えるものであったが、ポンプの数は２つ以上であっても良い。
【符号の説明】
【００８５】
１〜４            ポンプ装置
１１              ポンプ
１１ａ            羽根車
１１ｂ            ケーシング
１２              電動機
１３              制御装置
１４              ユニットベース
１５              ユニットカバー
１５ａ            窓部
１５ｂ            支持柱
１５Ｕ            上面
１６              吸込口
１７              吐出し口
１８              圧力タンク
１９              表示器
２０              制御部
２１              Ｉ／Ｏ部
２２              演算部
２３              記憶部
２４              設定部
２５              ＤＣ電源
２６              データライタ
２７              制御部側アンテナ部
３０              表示器
３１              表示器側アンテナ部
３３              表示部
４０              制御部
４１              Ｉ／Ｏ部
４２              演算部
４３              記憶部
４４              メンテナンスポート
４５              ＤＣ電源
４６              リーダライタ
４７              制御部側アンテナ部
５０              表示器
５１              表示器側アンテナ部
５２              制御部用集積回路
５３              リーダライタ
５４              表示部
５５              外部表示器用集積回路
５６              表示器側アンテナ部
６０              外部表示器
６１              外部表示器側アンテナ部
６２              バッテリ
６３              リーダライタ
６４              表示部
７０              地上ユニット
８０              水中ポンプ
８１              ポンプ
８２              水中電動機
１００            地表面
１０１            窪み
１０１ａ          板体
１０２            水源
１０３            家屋
１０４            蛇口（給水先）
１１０            吸込管
１１１            吐出し管
Ｂ１，Ｂ２        操作ボタン
Ｃ１              第１近距離通信
Ｃ２              第２近距離通信
ＤＷ              深井戸
Ｈ，Ｈ１          孔
ＬＰ１〜ＬＰ５    表示ランプ
ＬＱ１〜ＬＱ４    表示ランプ
ＮＴ，ＮＴ１      切欠部
ＯＤ              開き扉（扉部）
Ｑ                鉤部
ＳＤ              引き戸（扉部）
ＳＬ              シール部材
ＴＢ              揚水管
ＴＷ              透明窓
ＷＬ              水面
【図１】
2019011731.tif 000003
【図２】
2019011731.tif 000004
【図３】
2019011731.tif 000005
【図４】
2019011731.tif 000006
【図５】
2019011731.tif 000007
【図６】
2019011731.tif 000008
【図７】
2019011731.tif 000009
【図８】
2019011731.tif 000010
【図９】
2019011731.tif 000011
【図１０】
2019011731.tif 000012
【図１１】
2019011731.tif 000013
【図１２】
2019011731.tif 000014
【図１３】
2019011731.tif 000015
【図１４】
2019011731.tif 000016
【図１５】
2019011731.tif 000017
【図１６】
2019011731.tif 000018
【図１７】
2019011731.tif 000019
【図１８】
2019011731.tif 000020
【図１９】
2019011731.tif 000021
【図２０】
2019011731.tif 000022
【図２１】
2019011731.tif 000023